(57)【要約】【課題】光量補正データの読み出し又は書き込み作業の円滑化を図りつつ、光量補正データの通信の高速化及び安定化を図ること。【解決手段】主走査方向に配列された複数のＬＥＤ素子と、複数のＬＥＤ素子うち１又は複数のＬＥＤ素子に対応した位置に設けられ、当該１又は複数のＬＥＤ素子の光量を調整する光量補正データを記憶するＩＣチップ及び無線通信を行うアンテナコイルを有する複数のＲＦＩＤタグ６１０Ｙ１〜６１０Ｙｍを備えたＬＰＨ３３Ｙ。【選択図】図２
2009012324.tif 000002
【特許請求の範囲】
【請求項１】
主走査方向に配列された複数のＬＥＤ素子と、
前記複数のＬＥＤ素子うち１又は複数のＬＥＤ素子に対応して設けられ、当該１又は複数のＬＥＤ素子の光量を調整する光量補正データを記憶する光量補正データ記憶手段及び無線通信を行う通信手段を有する複数のＲＦＩＤタグと、
を備えた光書込装置。
【請求項２】
前記複数のＬＥＤ素子は、１又は複数のＬＥＤ素子毎に主走査方向に沿って複数のグループに区分されており、
前記ＲＦＩＤタグは、１又は隣接する複数のグループに対応するように割り当てられて設けられ、
当該ＲＦＩＤタグの光量補正データ記憶手段は、当該１又は隣接する複数のグループのＬＥＤ素子の光量補正データを記憶している、
請求項１に記載の光書込装置。
【請求項３】
前記グループは、
前記複数のＬＥＤ素子が主走査方向に沿って予め設定された数のＬＥＤ素子毎に区分されることにより構成されている、
請求項２に記載の光書込装置。
【請求項４】
前記グループは、
前記複数のＬＥＤ素子が光書き込みにより画像が形成される複数の用紙の主走査幅に基づいて区分されることにより構成されている、
請求項２に記載の光書込装置。
【請求項５】
前記１から４のいずれか一項に記載の光書込装置を備え、
前記ＲＦＩＤタグと無線通信を行うＲＦＩＤ送受信手段と、
前記ＲＦＩＤ送受信部に対して前記ＲＦＩＤタグと無線通信を行わせ、前記ＲＦＩＤタグ内の前記光量補正データ記憶手段から前記光量補正データを読み出し又は書き込みを行なう制御手段と、
前記制御手段により前記ＲＦＩＤタグ内の前記光量補正データ記憶手段から読み出された前記光量補正データを記憶する記憶手段と、
を備える画像形成装置。
【請求項６】
前記制御手段は、
画像が形成される用紙の主走査幅に基づいて、前記複数のＲＦＩＤタグのうち、画像が形成される用紙の主走査幅に対応する位置の前記ＬＥＤ素子の光量補正データを有するＲＦＩＤタグから、前記光量補正データの読み出しを行なう、
請求項５に記載の画像形成装置。
【発明の詳細な説明】
【技術分野】
【０００１】
本発明は、光書込装置及び画像形成装置に関する。
【背景技術】
【０００２】
近年、感光体の表面に静電潜像を形成させる光書込装置として、ＬＥＤプリンタヘッド（以下、ＬＰＨと称す。）を用いた画像形成装置が開発されている。ＬＰＨは、主走査方向に沿って予め設定された解像度に応じて配列された複数のＬＥＤ（Light Emitting Diode）素子を有するＬＥＤチップがアレイ上に配置されており、画像データに応じて発光されたＬＥＤ素子からの照射光を集光させて感光体に静電潜像を形成させるＧＲＩＮ（Graded-Index）レンズ等の光学手段等を備えて構成されている。
【０００３】
このようなＬＰＨは、ＬＥＤ素子の製造バラツキ、ＧＲＩＮレンズの光学特性等に伴い、光量ムラが発生することが知られている。この光量ムラを解消するために、ＬＥＤ素子を点灯させるドライバ回路の電流値をデジタル的に制御して複数のＬＥＤ素子の光量が一定となるような光量補正データを予め電気的に消去及び書き込み可能な不揮発性のメモリ、例えば、ＥＥＰＲＯＭ（Electronically Erasable and Programmable Read Only Memory）に格納し、メモリに格納された光量補正データを画像形成装置を統括的に制御する制御装置内に読み出し、画像データと読み出した光量補正データとを用いて、光書き込みを行う技術が知られている。
【０００４】
また、ＬＥＤ素子の配置の高密度化の実現に伴い、主走査方向（ＬＥＤチップの配列方向）は、６００［ｄｐｉ］、１２００［ｄｐｉ］というように高解像度化が進んでいる。例えば、画像形成装置における画像形成が可能な最大の用紙のサイズがＡ３ワイド（幅方向）３２４［ｍｍ］である場合、６００［ｄｐｉ］では７６８０素子、１２００［ｄｐｉ］では１５３６０素子のＬＥＤ素子が配列されることとなる。
【０００５】
このように、高解像度化に伴うＬＥＤ素子数の増加に伴い、画像データとして制御すべきデータ量が増大し、また、光書込制御方法も単純なＬＥＤ素子のＯＮ／ＯＦＦ動作だけではなく、複数ビットの設定数値により点灯露光時間を制御するなど、光書き込みを行うために用いられるデータ転送量も増大している。従って、画像形成装置の生産性（高速性）の向上の要望に伴い、大容量かつ高速データ通信機能を備えたＬＰＨインターフェースの搭載が不可欠となっている。
【０００６】
更に、種々の用紙に画像を形成させる場合、例えば、電子写真方式の画像形成装置では、トナーの定着性を向上させるために、種々の用紙の特徴（紙種や厚さ等）に応じて同一の画像形成装置であっても複数の画像形成速度を備えており、種々の用紙に応じた画像形成速度に対応したデータ通信機能をも満足させなくてはならない。
【０００７】
上述したような問題に対して、大容量かつ高速データ通信機能を実現するインターフェース技術として、例えば、送信側ではＬＶＤＳ（Low Voltage Differential Signaling）回路によりクロック同期のパラレルデータをパラレル−シリアル変換し、ＰＬＬ（Phase Locked Loop）回路によりシリアル変換ビット数に応じたクロック変調を行い、受信側で
は周波数変調回路を備えたレシーバ回路によりシリアル−パラレル変換と変調クロックを元のクロックに戻して入力されたパラレルデータに戻すことにより、多ビットデータの高速転送を図る技術がある。
【０００８】
上述したような技術を用いることにより、パラレルデータ内に制御信号、画像データ、光量補正データを配列することで、大容量かつ高速データ通信機能を実現することができると共に、束線長の自由度が高まり、画像形成装置内のレイアウトに自由度を持たせることができ、高速のデータ処理部を集中配置しユニット化することができる。
【０００９】
しかし、上述した解決方法では、ＬＰＨへの露光データ等の高速通信を行うことができるが、ＬＰＨの光量補正データを読み出す手段に利用しようとすると、回路部品のコストが上昇し、この上昇に伴って製品コストが上昇することから、ユーザに対して不利益を生じさせることとなる。また、光量補正データを読み出す回路構成の制約により、束線長の制限があり、露光データのＬＶＤＳ回路の性能を生かしきることができないという問題を抱えている。
【００１０】
この解決手段として、光量補正データを記憶したメモリ（例えば、ＲＯＭ）を画像形成装置内に搭載する方法もあるが、高速・高耐久性を求められる画像形成装置では、メンテナンス時でのＬＰＨの交換や、プロセス条件や使用頻度に応じた光量補正データの調整の必要性があることから、その作業時の度にメモリのデータの更新又はメモリの交換をする必要がある。このため、些細な作業ミスによりメモリにＬＰＨに適合する光量補正データを格納していない場合には、画像不良を発生させる原因となってしまう。更に、画像形成装置の生産工程においても、光量補正データの管理が伴い、画像形成装置に搭載したＬＰＨとメモリに記憶されている光量補正データとの照合が必要となり、新たな技術課題が発生してしまうこととなる。
【００１１】
したがって、ＬＰＨ内に光量補正データを記憶した不揮発性のメモリを備え、このメモリから光量補正データを読み出す技術が一般的となっている。
【００１２】
例えば、ストローブ信号を介してＥＥＰＲＯＭ（光量補正データが記憶されているメモリ）から光量補正データを読み出し、印刷データとしてＬＥＤドライバＩＣに供給し、印刷データに応じたＬＥＤアレイの駆動指示をストローブ信号によりＬＥＤアレイ群の選択信号を供給することでＬＥＤ素子を点灯制御する装置が開示されている（特許文献１参照）。
【００１３】
特許文献１記載のような技術は、駆動手段（印刷制御部）が光量補正データを取得するクロック信号を発生し、メモリに記憶されている光量補正データを発生したクロックに同期させて光量補正データを駆動手段に入力させ、かつ、供給されたクロックにより光量補正データを転送することが記載されており、印刷データの転送クロックと、光量補正データの転送クロックでのタイミング変更に伴う設計マージンを小さくする効果を狙っており、即ち、光量補正データの読み出し制御、光量補正データの設定制御、印刷データの送信方法を個別に考慮し、それぞれが適正な方法で処理できるようにバランスを取ったインターフェース回路を設けている。
【００１４】
また、ＬＰＨに限らず、着脱可能な部品ユニットに対しても同様な技術があり、例えば、画像形成装置に設けられた読込手段によって、画像形成装置に交換可能に装着される部品ユニットのメモリデバイスに記憶されている情報が、画像形成装置への装着前に読み込まれる画像形成装置が開示されている（特許文献２参照）。
【００１５】
更に、単一のアンテナにて、印字する色毎の画像形成ユニットに配置され各画像形成ユニットの交換指示を予告する交換予告情報を記憶するＲＦＩＤタグから、非接触で交換予告情報を読み出す印刷装置が開示されている（特許文献３参照）。
【特許文献１】特開２００１−２３９６９７号公報
【特許文献２】特開２００４−０５３７６１号公報
【特許文献３】特開２００５−１４１０４４号公報
【発明の開示】
【発明が解決しようとする課題】
【００１６】
しかしながら、上述したような従来の技術では、大容量の光量補正データの処理能力やデータの通信能力（高速性、伝送信号の信頼性）を向上させるには、画像形成装置全体のインターフェースのバランスを取る必要があるため、印刷能力が犠牲となってしまう。このため、通信能力がメモリからの光量補正データの読み出しや設定機能により制限を受けることとなる。また、特許文献１のような技術の場合には、束線長を長くしたい場合にも、インターフェース回路の制約を受けてしまう。
【００１７】
更に、上述したような従来の技術では、部品ごと、即ち、ＬＰＨ毎にメモリが設けられていることから、任意のＬＥＤ素子に対する光量補正データを読み出し又は書き込みすることは困難であり、ＬＰＨが備える全てのＬＥＤ素子に対する光量補正データを読み出し又は書き込みすることとなる。従って、有効光書込幅よりも小さい幅の用紙に対して画像形成を行う場合には、当該用紙の幅に対するＬＥＤ素子の光量補正データのみ読み出せば足りるのにもかかわらず、全てのＬＥＤ素子の光量補正データが読み出されてしまうため、無駄な通信負荷が生じるという問題がある。
【００１８】
本発明の課題は、上述した問題に鑑みて、光量補正データの読み出し又は書き込み作業の円滑化を図りつつ、光量補正データの通信の高速化及び安定化を図ることである。
【課題を解決するための手段】
【００１９】
請求項１に記載の発明によれば、主走査方向に配列された複数のＬＥＤ素子と、前記複数のＬＥＤ素子うち１又は複数のＬＥＤ素子に対応して設けられ、当該１又は複数のＬＥＤ素子の光量を調整する光量補正データを記憶する光量補正データ記憶手段及び無線通信を行う通信手段を有する複数のＲＦＩＤタグと、を備えた光書込装置が提供される。
【００２０】
請求項２に記載の発明によれば、請求項１に記載の光書込装置において、前記複数のＬＥＤ素子は、１又は複数のＬＥＤ素子毎に主走査方向に沿って複数のグループに区分されており、前記ＲＦＩＤタグは、１又は隣接する複数のグループに対応するように割り当てられて設けられ、当該ＲＦＩＤタグの光量補正データ記憶手段は、当該１又は隣接する複数のグループのＬＥＤ素子の光量補正データを記憶している。
【００２１】
請求項３に記載の発明によれば、請求項２に記載の光書込装置において、前記グループは、前記複数のＬＥＤ素子が主走査方向に沿って予め設定された数のＬＥＤ素子毎に区分されることにより構成されている。
【００２２】
請求項４に記載の発明によれば、請求項２に記載の光書込装置において、前記グループは、前記複数のＬＥＤ素子が光書き込みにより画像が形成される複数の用紙の主走査幅に基づいて区分されることにより構成されている。
【００２３】
請求項５に記載の発明によれば、前記１から４のいずれか一項に記載の光書込装置を備え、前記ＲＦＩＤタグと無線通信を行うＲＦＩＤ送受信手段と、前記ＲＦＩＤ送受信部に対して前記ＲＦＩＤタグと無線通信を行わせ、前記ＲＦＩＤタグ内の前記光量補正データ記憶手段から前記光量補正データを読み出し又は書き込みを行なう制御手段と、前記制御手段により前記ＲＦＩＤタグ内の前記光量補正データ記憶手段から読み出された前記光量補正データを記憶する記憶手段と、を備える画像形成装置が提供される。
【００２４】
請求項６に記載の発明によれば、請求項５に記載の画像形成装置において、前記制御手段は、画像が形成される用紙の主走査幅に基づいて、前記複数のＲＦＩＤタグのうち、画像が形成される用紙の主走査幅に対応する位置の前記ＬＥＤ素子の光量補正データを有するＲＦＩＤタグから、前記光量補正データの読み出しを行なう。
【発明の効果】
【００２５】
請求項１に記載の発明によれば、複数のＲＦＩＤタグにより光量補正データが記憶されているため、光量補正データの読み出し又は書き込み作業を行なう際、必要な光量補正データが記憶されているＲＦＩＤタグと通信を行えば足り、通信負荷の低減を図ることができるため、光量補正データの読み出し又は書き込み作業の円滑化を図りつつ、光量補正データの通信の高速化を図ることができる。
【００２６】
請求項２に記載の発明によれば、請求項１と同様の効果を得られるのは勿論のこと、ＲＦＩＤタグに１又は隣接する複数のグループに属する複数のＬＥＤ素子の光量補正データを記憶させることができる。
【００２７】
請求項３に記載の発明によれば、請求項２と同様の効果を得られるのは勿論のこと、予め設定された数のＬＥＤ素子毎に区分されたグループ毎、例えば、ＬＥＤチップ毎に光量補正データを管理することができる。
【００２８】
請求項４に記載の発明によれば、請求項２と同様の効果を得られるのは勿論のこと、用紙の主走査幅に基づいて区分されたグループ毎に光量補正データを管理することができる。
【００２９】
請求項５に記載の発明によれば、請求項１から４のいずれか一項に記載の光書込装置に備えられた複数のＲＦＩＤタグから、当該光書込装置の光量補正データの読み出し又は書き込みを行なうことができるため、インターフェース回路の制約を受けずに、円滑な光量補正データの読み出し又は書き込みを実現でき、光量補正データの通信の高速化を図ることができる。
【００３０】
請求項６に記載の発明によれば、請求項５と同様の効果を得られるのは勿論のこと、画像が形成される用紙の主走査幅に対応する位置のＬＥＤ素子の光量補正データのみ読み出しを行なうことができるため、通信負荷の低減が図られ、光量補正データの読み出しの高速化を図ることができる。
【発明を実施するための最良の形態】
【００３１】
以下、図を参照して本発明の実施の形態を詳細に説明する。
まず、構成を説明する。
図１に、本実施の形態における画像形成装置１の概略断面構成図を示す。
【００３２】
画像形成装置１は、原稿から画像を読み取り、読み取った画像を紙等の用紙Ｐに画像形成するコピー機能や、ＰＣ（Personal Computer）等の外部装置から画像データを受信し、画像データが表す画像を用紙Ｐ上に形成して出力するプリンタ機能等を備えたデジタル複合機である。図１に示すように、画像形成装置１は、画像読取部１０、プリント部２０から構成される。
【００３３】
画像読取部１０は、ＡＤＦ（Auto Document Feeder）と称される自動原稿送り部１１と読取部１２とを備える。
自動原稿送り部１１は、原稿トレイに積載される原稿を最上部から順に搬送させ、原稿の読取個所であるコンタクトガラスに原稿を密着させながら通過させ、そして、コンタクトガラスを通過して読み取りが完了した原稿を排紙トレイに排出させる。
【００３４】
読取部１２は、光源、レンズ、コンタクトガラス、ＣＣＤ（Charge Coupled Device）イメージセンサ等からなるスキャナを備えて構成され、原稿に照射した光の反射光を結像して光電変換することにより原稿の原稿画像（アナログ画像信号）を読み取り、読み取った原稿画像にＡ／Ｄ変換や各種画像処理を施した後、プリントデータとしてプリント部２０に出力する。ここで、画像とは、図形や写真等のイメージデータに限らず、文字や記号等のテキストデータ等も含む意である。
【００３５】
プリント部２０は、入力されたプリントデータに基づいて、電子写真方式の画像形成を行うものであり、画像形成部３０と、クリーニング部４０と、転写ベルト５０と、給紙部６０と、搬送部７０と、定着部８０とを備えて構成される。
【００３６】
本実施の形態の画像形成部３０は、最大４色（イエロー（Ｙ）、マゼンダ（Ｍ）、シアン（Ｃ）、ブラック（Ｋ））の画像を形成する際に、夫々異なる色のトナーを充填可能な色毎の画像形成部３０Ｙ、３０Ｍ、３０Ｃ、３０Ｋを備えて構成されている。
【００３７】
例えば、画像形成部３０Ｙは、感光体ドラム３１Ｙと、帯電装置３２Ｙと、光書込装置としてのＬＥＤプリンタヘッド（以下、ＬＰＨと称す。）３３Ｙと、現像装置３４Ｙと、転写装置３５Ｙと、クリーニング装置３６Ｙとを備え、イエロー（Ｙ）の画像を形成する。
【００３８】
ＬＰＨ３３Ｙは、主走査方向に配列された複数の発光ダイオード（ＬＥＤ；Light Emitting Diode）を光書き込み用の光源として備えると共に、複数のＧＲＩＮ（Graded-Index）レンズを主走査方向に配列させた光学部材、ＬＥＤ駆動／光量補正回路等を備えると共に、後述するＲＦＩＤタグが複数設けられており、画像データに基づいてＬＥＤ素子が選択的に駆動され、駆動されたＬＥＤ素子から照射される光を感光体ドラム３１Ｙ上に集光させて結像させる。
【００３９】
ＬＥＤ素子は、製造時の機械的特性及び電気的特性のバラツキ、駆動回路の電流抵抗のバラツキ、実装部材（ＬＥＤ搭載基板等）の電気的なバラツキ等により、同一条件下で駆動しても、各ＬＥＤ素子の光量に差が発生することが知られている。
そのため、ＬＰＨ３３Ｙ全体の光量のバラツキを一定の範囲内に収まるように、ＬＥＤ駆動／光量補正回路には、ＬＥＤ素子毎に電流量及び立ち上がり駆動特性及び各ＬＥＤ素子の光量を補正する補正部が設けられており、ＬＰＨ３３Ｙに設けられている後述する複数のＲＦＩＤタグから取得された光量補正データと入力される画像データとに基づいて、各ＬＥＤ素子の光量補正及び駆動動作が行なわれる。
【００４０】
具体的には、帯電装置３２Ｙにより帯電された感光体ドラム３１Ｙに、ＬＰＨ３３Ｙからイエロー（Ｙ）の画像データに応じた光を照射して潜像画像を形成する。そして、現像装置３４Ｙは、潜像画像が形成された感光体ドラム３１Ｙの表面に帯電したイエロー（Ｙ）のトナーを付着させて潜像画像を現像する。現像装置３４Ｙによりトナーが付着された感光体ドラム３１Ｙは、転写装置３５Ｙが配置された転写位置へ一定速度で回転されながら後述する転写ベルト５０に転写される。転写ベルト５０にトナー画像が転写された後、クリーニング装置３６Ｙが、感光体ドラム３１Ｙの表面の残留電荷や残留トナー等を除去する。
【００４１】
画像形成部３０Ｍ、３０Ｃ、３０Ｋは、画像形成部３０Ｙと同様の構成から成り、感光体ドラム３１Ｍ、３１Ｃ、３１Ｋの周囲に配置された帯電装置３２Ｍ、３２Ｃ、３２Ｋ、ＬＰＨ３３Ｍ、３３Ｃ、３３Ｋ、現像装置３４Ｍ、３４Ｃ、３４Ｋ、転写装置３５Ｍ、３５Ｃ、３５Ｋ、クリーニング装置３６Ｍ、３６Ｃ、３６Ｋを備え、マゼンタ（Ｍ）、シアン（Ｃ）、ブラック（Ｋ）のトナー画像をそれぞれ形成する。
【００４２】
転写ベルト５０は、複数のローラに懸架され回転可能に支持された半導電性エンドレスベルトであり、ローラの回転に伴って回転駆動される。
この転写ベルト５０は、転写装置３５Ｙ、３５Ｍ、３５Ｃ、３５Ｋによりそれぞれ感光体ドラム３１Ｙ、３１Ｍ、３１Ｃ、３１Ｋに圧着される。これにより感光体ドラム３１Ｙ、３１Ｍ、３１Ｃ、３１Ｋの表面に現像された各トナーは、転写装置３５Ｙ、３５Ｍ、３５Ｃ、３５Ｋによる転写位置で転写ベルト５０上に搬送された用紙Ｐにイエロー、マゼンタ、シアン、ブラックの各トナーが順次重ねて転写される。
【００４３】
給紙部６０は、複数の給紙トレイ６１と手差しトレイ６２とを備える。
給紙トレイ６１は、給紙トレイ６１毎にサイズや種類毎に予め識別された用紙Ｐが収容されており、給紙ローラ６１ａによって収容された用紙Ｐを最上部から一枚ずつ搬送部７０に向けて搬送する。
手差しトレイ６２は、ユーザのニーズに合わせて様々な種類の用紙Ｐをその都度積載可能となっており、給紙ローラ６２ａによって積載された用紙Ｐを最上部から一枚ずつ搬送部７０に向けて搬送する。
【００４４】
搬送部７０は、給紙トレイ６１又は手差しトレイ６２から搬送された用紙Ｐを、複数の中間ローラ７１ａ、７１ｂ、レジストローラ７２を経て転写装置３５Ｙ等へと搬送する。
【００４５】
定着部８０は、搬送部７０によって搬送された用紙Ｐに転写されたトナー像を熱定着する。定着処理された用紙Ｐは、排紙ローラ７３に挟持されて排紙トレイ７４上に排出される。
【００４６】
転写装置３５Ｙ、３５Ｍ、３５Ｃ、３５Ｋにより用紙Ｐにトナー画像が転写された後、用紙Ｐが曲率及び静電的に分離された転写ベルト５０は、クリーニング部４０により残留トナー等が除去される。
【００４７】
図２に、ＬＰＨ３３Ｙの側面図の例を示す。
図２に示すように、ＬＰＨ３３Ｙは、ＬＰＨ固定部材３３０Ｙにより画像形成装置１に着脱可能に備えられており、複数のＬＥＤ素子及びＬＥＤ駆動／光量補正回路等からなるＬＰＨ本体部３３１Ｙ、ＧＲＩＮレンズ部３３２Ｙ、ＬＰＨ本体部３３１Ｙ側面に貼付された複数のＲＦＩＤタグ６１０Ｙ１〜６１０Ｙｍから構成されている。
【００４８】
ＬＰＨ固定部材３３０Ｙは、ＬＰＨ３３Ｙに貼付された複数のＲＦＩＤタグ６１０Ｙ１〜６１０Ｙｍと無線通信を行うＲＦＩＤ送受信手段としてのＲＦＩＤ送受信部６２０Ｙが設けられている。
【００４９】
ＬＰＨ本体部３３１Ｙ内に主走査方向に配列された複数のＬＥＤ素子は、１又は複数のＬＥＤ素子毎に主走査方向Ｘに沿って複数のグループに区分されている。図２では、各グループの領域をＡ１〜Ａｎとして示している。
【００５０】
ＲＦＩＤタグＲＦＩＤタグ６１０Ｙ１〜６１０Ｙｍは、１又は隣接する複数のグループに対応するように割り当てられて設けられている。例えば、図２では、ＲＦＩＤタグ６１０Ｙ１に対してＡ１、Ａ２の２つのグループが割り当てられており、ＲＦＩＤタグ６１０Ｙ２に対してＡ３の１つのグループが割り当てられている。
【００５１】
各グループは、複数のＬＥＤ素子が主走査方向Ｘに沿って予め設定された数のＬＥＤ素子毎、即ち、複数のＬＥＤ（Light Emitting Diode）素子を有するＬＥＤチップ毎に区分されることにより構成されてもよい。
【００５２】
このことにより、予め設定された数のＬＥＤ素子毎に区分されたグループ毎、例えば、ＬＥＤチップ毎にＲＦＩＤタグを設けた場合、ＬＥＤチップ毎に光量補正データを管理することができる。なお、高解像度化に伴うＬＥＤチップの数が増加すると、ＲＦＩＤタグの数も増加することから、ＲＦＩＤ送受信部６２０ＹがＲＦＩＤタグへアクセスする回数が多くなることを考慮すべきであるため、１つのＲＦＩＤタグに対して複数のＬＥＤチップを割り当てることが現実的である。
【００５３】
また、各グループは、画像形成装置１において複数のＬＥＤ素子が光書き込みにより画像が形成され得る複数の用紙の主走査幅に基づいて区分されることにより構成されてもよい。この場合、用紙の主走査幅に基づいて区分されたグループ毎に光量補正データを管理することができる。
【００５４】
なお、ＬＰＨ３３Ｍ、３３Ｃ、３３Ｋの側面図は、図２に示すＬＰＨ３３Ｙと同様であるため、図示及び説明は省略する。
【００５５】
図３に、本実施の形態における画像形成装置１の制御ブロック図を示す。
図３に示すように、画像形成装置１は、本体制御部１００、機構制御部２００、操作表示部３００、外部Ｉ／Ｆ４００、ＬＰＨ３３Ｙ、３３Ｍ、３３Ｃ、３３Ｋにそれぞれ設けられた複数のＲＦＩＤ（Radio Frequency ID）タグ６１０Ｙ１〜６１０Ｙｍ、６１０Ｍ１〜６１０Ｍｍ、６１０Ｃ１〜６１０Ｃｍ、６１０Ｋ１〜６１０Ｋｍ、ＲＦＩＤ送受信部６２０Ｙ、６２０Ｍ、６２０Ｃ、６２０Ｋ、画像読取部１０及びプリント部２０などにより構成され、各部はバス５００により接続されている。
【００５６】
本体制御部１００は、ＣＰＵ（Central Processing Unit）１１０、ＲＯＭ（Read OnlyMemory）１２０、不揮発メモリ１３０、ＲＡＭ（Random Access Memory）１４０、画像処理部１５１、画像処理部１５１と接続されたＬＰＨ制御部１５２、Ｉ／Ｏ（Input/Output）１６０等を備えている。
【００５７】
ＣＰＵ１１０は、ＲＯＭ１２０又は不揮発メモリ１３０に記憶されているシステムプログラム、各処理プログラム、データを読み出して、不揮発メモリ１３０又はＲＡＭ１４０内に展開し、展開されたプログラムに従って、画像形成装置１各部の動作を集中制御する。システム全体のタイミング制御、不揮発メモリ１３０又はＲＡＭ１４０を使用した画像データの記憶及び蓄積制御、プリント部２０に対する画像データの入出力制御、他のアプリケーション（ＦＡＸ、プリンタ、スキャナ等）とのインターフェース（Ｉ／Ｆ）や動作制御を行うものである。
【００５８】
また、ＣＰＵ１１０は、外部Ｉ／Ｆ４００を介して受信したＰＣ（Personal Computer
）等の外部装置から送信される画像データや、画像読取部１０から送られてきた画像データを、一時的に不揮発メモリ１３０又はＲＡＭ１４０に格納し、画像データに基づいたプリントデータを画像処理部１５１に展開する。ＣＰＵ１１０は、機構制御部２００へ起動指示信号を出力し、画像形成装置１の各部の動作を行わせる。
【００５９】
ＲＯＭ１２０は、画像形成装置１に対応するプログラムやデータなどがあらかじめ記憶されており、システムプログラム、当該システムに対応する各種処理プログラム、各種処理プログラムで処理するのに必要なデータを記憶している。
【００６０】
また、ＲＯＭ１２０は、本実施の形態において、ＲＦＩＤ送受信部６２０Ｙ、６２０Ｍ、６２０Ｃ、６２０Ｋそれぞれに対して各ＲＦＩＤ送受信部６２０Ｙ、６２０Ｍ、６２０Ｃ、６２０Ｋと対応するＬＰＨ３３Ｙ、３３Ｍ、３３Ｃ、３３Ｋに設けられた複数のＲＦＩＤタグ６１０Ｙ１〜６１０Ｙｍ、６１０Ｍ１〜６１０Ｍｍ、６１０Ｃ１〜６１０Ｃｍ、６１０Ｋ１〜６１０Ｋｍと無線通信を行わせ、各ＲＦＩＤタグ６１０Ｙ１〜６１０Ｙｍ、６１０Ｍ１〜６１０Ｍｍ、６１０Ｃ１〜６１０Ｃｍ、６１０Ｋ１〜６１０Ｋｍ内に記憶されている光量補正データの読み出し又は書き込みを行わせる光量補正データ読出処理又は光量補正データ書込処理を実行させるプログラム、当該プログラムを実行させるために必要な各種データを予め記憶している。
【００６１】
不揮発メモリ１３０は、フラッシュメモリ等で構成され、各種プログラム及びデータを書き換え可能に記憶する。
【００６２】
ＲＡＭ１４０は、ＣＰＵ１１０により実行される各種処理において、ＲＯＭ１２０から読み出されたプログラム、入力、若しくは出力データ及びパラメータなどの一時的な格納領域となる。
【００６３】
画像処理部１５１は、画像読取部１０や外部Ｉ／Ｆ４００等から送られてきた画像データの画像処理（変倍、フィルタ、γ変換など）を行い、プリント出力対象となるプリントデータを生成する。
【００６４】
ＬＰＨ制御部１５２は、画像処理部１５１により生成されたプリントデータを格納すると共に、生成されたプリントデータに基づいた各種信号をＬＰＨ３３Ｙ、３３Ｍ、３３Ｃ、３３Ｋにそれぞれ出力する。
【００６５】
Ｉ／Ｏ１６０は、各ＬＰＨ３３Ｙ、３３Ｍ、３３Ｃ、３３Ｋそれぞれ対応する位置に設けられたＲＦＩＤ送受信部６２０Ｙ、６２０Ｍ、６２０Ｃ、６２０Ｋと接続されており、各ＲＦＩＤ送受信部６２０Ｙ、６２０Ｍ、６２０Ｃ、６２０Ｋから読み出されたデータをＣＰＵ１１０に出力すると共に、不揮発メモリ１３０に記憶させる。
【００６６】
機構制御部２００は、本体制御部１００からの信号に基づいて画像形成装置１内の各種駆動機構及び各種センサ等を統括的に制御するものであり、例えば、感光体ドラム３１Ｙを一定速度で回転させるモータを駆動制御している。
【００６７】
操作表示部３００は、ＬＣＤ（Liquid Crystal Display）又は有機ＥＬ（Electronic Luminescent）素子を用いた等の表示画面や電源スイッチを含む操作キー群、操作表示制御部等から構成される。表示画面上には、表示画面を覆うようにタッチパネルが設けられており、操作表示制御部は、本体制御部１００から入力される表示信号に従って、各種設定条件を入力するための各種設定画面や画像形成装置１の動作状態や処理結果等を表示画面上に表示させる。また、操作表示制御部は、操作キー群又はタッチパネルから入力される操作信号を本体制御部１００に送信する。
【００６８】
外部Ｉ／Ｆ４００は、ネットワークインターフェースカード（ＮＩＣ；Network Interface Card）、モデム（ＭＯＤＥＭ：MOdulator-DEModulator）、ＵＳＢ（Universal Serial Bus）等の各種インターフェースを備えて構成され、通信可能に接続された外部機器と相互に情報の送受信を行う。
【００６９】
ＲＦＩＤタグ６１０Ｙ１〜６１０Ｙｍは、それぞれＬＰＨ３３Ｙに貼付等されることにより設けられており、ＬＰＨ３３Ｙが備える各ＬＥＤ素子のうち、割り当てられたグループのＬＥＤ素子の光量を調整する補正データ（以下、光量補正データ）とＲＦＩＤタグを識別する識別コードを記憶する光量補正データ記憶手段としてのＩＣチップ及び光量補正データを無線通信によりＲＦＩＤ送受信部６２０Ｙと送受信を行う通信手段としてのアンテナコイルを有し、ＲＦＩＤ送受信部６２０Ｙから発せられる無線周波数により生じる誘導電磁界により供給される電力供給によって、ＩＣチップ内に記憶されている光量補正データ及び識別コードをＲＦＩＤ送受信部６２０Ｙに送受信する無電池型のＲＦＩＤタグである。
【００７０】
ＲＦＩＤタグ６１０Ｍ１〜６１０Ｍｍ、６１０Ｃ１〜６１０Ｃｍ、６１０Ｋ１〜６１０Ｋｍは、ＲＦＩＤタグ６１０Ｙ１〜６１０Ｙｍと同様に、ＬＰＨ３３Ｍ、３３Ｃ、３３Ｋそれぞれに貼付等されることにより設けられており、ＬＰＨ３３Ｍ、３３Ｃ、３３Ｋが備える各ＬＥＤ素子のうち、割り当てられたグループのＬＥＤ素子の光量補正データを記憶するＩＣチップ及び光量補正データを無線通信によりそれぞれＲＦＩＤ送受信部６２０Ｍ、６２０Ｃ、６２０Ｋと送受信を行うアンテナコイルを有し、ＲＦＩＤ送受信部６２０Ｍ、６２０Ｃ、６２０Ｋから発せられる無線周波数により生じる誘導電磁界により供給される電力供給によって、ＩＣチップ内に記憶されている光量補正データをＲＦＩＤ送受信部６２０Ｍ、６２０Ｃ、６２０Ｋに送受信する無電池型のＲＦＩＤタグである。
【００７１】
ＲＦＩＤ送受信部６２０Ｙは、Ｉ／Ｏ１６０を介してＣＰＵ１１０と接続されており、ＣＰＵ１１０からの指示に従って、ＲＦＩＤタグ６１０Ｙ１〜６１０Ｙｍと無線通信を行うための無線周波数を発することが可能なアンテナコイルを有し、当該アンテナコイルによりＲＦＩＤタグ６１０Ｙ１〜６１０Ｙｍそれぞれに対して誘導電磁界を生じさせると共にＲＦＩＤタグ６１０Ｙ１〜６１０Ｙｍ内に記憶されている光量補正データの送受信を行うＲＦＩＤ送受信手段としての機能を実現する。
【００７２】
ＲＦＩＤ送受信部６２０Ｍ、６２０Ｃ、６２０Ｋは、ＲＦＩＤ送受信部６２０Ｙと同様に、Ｉ／Ｏ１６０を介してＣＰＵ１１０と接続されており、ＣＰＵ１１０からの指示に従って、ＲＦＩＤタグ６１０Ｍ１〜６１０Ｍｍ、６１０Ｃ１〜６１０Ｃｍ、６１０Ｋ１〜６１０Ｋｍと無線通信を行うアンテナコイルを有し、当該アンテナコイルによりＲＦＩＤタグ６１０Ｍ１〜６１０Ｍｍ、６１０Ｃ１〜６１０Ｃｍ、６１０Ｋ１〜６１０Ｋｍに対して誘導電磁界を生じさせると共にＲＦＩＤタグ６１０Ｍ１〜６１０Ｍｍ、６１０Ｃ１〜６１０Ｃｍ、６１０Ｋ１〜６１０Ｋｍ内に記憶されている光量補正データの送受信を行う。
【００７３】
なお、本実施の形態におけるＲＦＩＤタグ６１０Ｙ１〜６１０Ｙｍ、６１０Ｍ１〜６１０Ｍｍ、６１０Ｃ１〜６１０Ｃｍ、６１０Ｋ１〜６１０Ｋｍ及びＲＦＩＤ送受信部６２０Ｙ、６２０Ｍ、６２０Ｃ、６２０Ｋは、電磁誘導方式を用いた例を挙げて説明するが、電波方式であってもよい。
【００７４】
電磁誘導方式又は電波方式を用いたＲＦＩＤタグ６１０Ｙ１〜６１０Ｙｍ、６１０Ｍ１〜６１０Ｍｍ、６１０Ｃ１〜６１０Ｃｍ、６１０Ｋ１〜６１０Ｋｍ及びＲＦＩＤ送受信部６２０Ｙ、６２０Ｍ、６２０Ｃ、６２０Ｋが使用可能な無線周波数は、当該画像形成装置１が使用される場所（地域、国等）によって法規的な制約が伴っている点に留意するものとし、また周波数帯域によって最大通信距離、指向性、通信速度、ノイズ、電波障害等の特性が異なる点に留意し、周囲環境に合わせて設定されるものである。
【００７５】
次に、本実施の形態の動作を説明する。
図４に示す処理は、本体制御部１００内のＣＰＵ１１０、ＲＯＭ１２０、不揮発メモリ１３０又はＲＡＭ１４０の協働により実現される動作であり、ＬＰＨ３３Ｙに対する光量補正データ読出処理のフローチャートを示す。
【００７６】
画像形成装置１の操作表示部３００に設けられた電源スイッチが操作されることにより当該画像形成装置１に電源の供給が開始されたり、画像形成を行う指示と共に光量補正データの読み出し指示が入力されると（ステップＳ１）、ＲＦＩＤ送受信部６２０Ｙが駆動され、ＬＰＨ３３Ｙに設けられたＲＦＩＤタグ６１０Ｙ１〜６１０Ｙｍのうち、選択されたＲＦＩＤタグの識別コードに基づいて、選択されたＲＦＩＤタグに対して無線周波数が発せられ、光量補正データの読み出しが開始される（ステップＳ２）。
【００７７】
この選択されたＲＦＩＤタグとは、例えば、画像形成装置１に電源の供給が開始された場合にはＬＰＨ３３Ｙに設けられた全てのＲＦＩＤタグ６１０Ｙ１〜６１０Ｙｍであり、光量補正データの読み出し指示が入力された場合には、画像形成される用紙の主走査幅に対応する位置のグループが割り当てられたＲＦＩＤタグ、即ち、画像形成される用紙の主走査幅に対応する位置のＬＥＤ素子の光量補正データを有するＲＦＩＤタグとする。
【００７８】
選択されたＲＦＩＤタグは、ＲＦＩＤ送受信部６２０Ｙから発せられる無線周波数により生じる誘導電磁界により供給される電力供給によって、ＩＣチップ内に記憶されている光量補正データ及び識別コードをＲＦＩＤ送受信部６２０Ｙに送信する（ステップＳ３）。
【００７９】
各ＲＦＩＤ送受信部６２０Ｙにより、選択されたＲＦＩＤタグ６１０から送信された光量補正データ及び識別コードが受信されると、光量補正データの取得処理が実行される（ステップＳ４）。
【００８０】
ステップＳ４における光量補正データの取得処理は、まず、受信された識別コードに基づいて識別コードに対応するＲＦＩＤタグが特定される。次に、特定されたＲＦＩＤタグに割り当てられたグループが特定され、識別コードと共に受信した光量補正データに対応するＬＥＤ素子が特定される。そして、当該光量補正データは、ＬＰＨ３３Ｙの当該特定されたＬＥＤ素子に対応する光量補正データとして不揮発メモリ１３０に記憶される処理である。
【００８１】
ステップＳ４後、画像形成装置１内の画像データに関する処理の起動処理が開始され（ステップＳ５）、本処理は終了される。
【００８２】
ＬＰＨ３３Ｍ、３３Ｃ、３３３Ｋに対する光量補正データ読出処理のフローチャートも、図４に示すＬＰＨ３３Ｙと同様にセレクティブアクセス方式を用いた処理であるため、図示及び説明は省略する。なお、ＬＰＨ３３Ｙ、３３Ｍ、３３Ｃ、３３３Ｋに対する光量補正データ読出処理は、並列して実行されても又は順次実行されるものであってもよい。
【００８３】
次に、光量補正データの書き込み処理について説明する。
光量補正データの書き込み処理は、画像形成装置１の操作表示部３００に設けられた電源スイッチが操作されることにより当該画像形成装置１に電源の供給停止の指示や光量補正データの書き込み指示が入力されると、ＲＦＩＤ送受信部６２０Ｙが駆動され、ＬＰＨ３３Ｙに設けられたＲＦＩＤタグ６１０Ｙ１〜６１０Ｙｍのうち、選択されたＲＦＩＤタグの識別コードに基づいて、選択されたＲＦＩＤタグに対して無線周波数が発せられ、光量補正データの書き込みが開始される。
【００８４】
この選択されたＲＦＩＤタグとは、例えば、画像形成装置１に電源の供給停止の指示が入力された場合にはＬＰＨ３３Ｙに設けられた全てのＲＦＩＤタグ６１０Ｙ１〜６１０Ｙｍであり、光量補正データの書き込み指示が入力された場合には、操作表示部３００又は外部Ｉ／Ｆ４００から指示されたＲＦＩＤタグである。
【００８５】
選択されたＲＦＩＤタグは、ＲＦＩＤ送受信部６２０Ｙから発せられる無線周波数により生じる誘導電磁界により供給される電力供給によって、ＩＣチップ内に記憶されている光量補正データを受信した光量補正データに書き替えて更新し、書き込み完了を示す信号（書込完了信号）をＲＦＩＤ送受信部６２０Ｙに送信する。
【００８６】
ＲＦＩＤ送受信部６２０が選択されたＲＦＩＤタグから書込完了信号を受信すると本処理は終了される。
【００８７】
ＬＰＨ３３Ｍ、３３Ｃ、３３３Ｋに対する光量補正データ書き込み処理も、ＬＰＨ３３Ｙと同様にセレクティブアクセス方式を用いた処理であるため、説明は省略する。なお、ＬＰＨ３３Ｙ、３３Ｍ、３３Ｃ、３３３Ｋに対する光量補正データ読み出し処理は、並列して実行されても又は順次実行されるものであってもよい。
【００８８】
複数のＲＦＩＤタグにより各ＬＰＨの光量補正データが記憶されているため、光量補正データの読み出し又は書き込み作業を行なう際、必要な光量補正データが記憶されているＲＦＩＤタグと通信を行えば足り、通信負荷の低減を図ることができるため、インターフェース回路の制約を受けずに、円滑な光量補正データの読み出し又は書き込み作業を実現でき、光量補正データの通信の高速化を図ることができる。
【００８９】
更に、読み出し又は書き込みが必要とされるＬＥＤ素子の光量補正データを記憶しているＲＦＩＤタグとのみ通信を行うため、特に、画像が形成される用紙の主走査幅に対応する位置のＬＥＤ素子の光量補正データのみ読み出しを行なうことができるため、通信負荷の低減が図られ、光量補正データの読み出し又は書き込みの高速化を図ることができる。
【００９０】
また、本発明は、上記実施の形態の内容に限定されるものではなく、本発明の主旨を逸脱しない範囲で適宜変更可能である。
【図面の簡単な説明】
【００９１】
【図１】実施の形態における画像形成装置の概略断面構成図である。
【図２】ＬＰＨの側面図の例を示す図である。
【図３】実施の形態における画像形成装置の制御ブロック図である。
【図４】ＬＰＨ３３Ｙに対する光量補正データ読出処理のフローチャートを示す図である。
【符号の説明】
【００９２】
１  画像形成装置
１０  画像読取部
１１  自動原稿送り部
１２  読取部
２０  プリント部
３０、３０Ｙ、３０Ｍ、３０Ｃ、３０Ｋ  画像形成部
３１Ｙ、３１Ｍ、３１Ｃ、３１Ｋ  感光体ドラム
３２Ｙ、３２Ｍ、３２Ｃ、３２Ｋ  帯電装置
３３Ｙ、３３Ｍ、３３Ｃ、３３Ｋ  ＬＰＨ
３３０Ｙ  ＬＰＨ固定部材
３３１Ｙ  ＬＰＨ本体部
３３２Ｙ  ＧＲＩＮレンズ部
３４Ｙ、３４Ｍ、３４Ｃ、３４Ｋ  現像装置
３５Ｙ、３５Ｍ、３５Ｃ、３５Ｋ  転写装置
３６Ｙ、３６Ｍ、３６Ｃ、３６Ｋ  クリーニング装置
４０  クリーニング部
５０  転写ベルト
６０  給紙部
６１  給紙トレイ
６１ａ、６２ａ  給紙ローラ
６２  手差しトレイ
７０  搬送部
７１ａ、７１ｂ  中間ローラ
７２  レジストローラ
７３  排紙ローラ
７４  排紙トレイ
８０  定着部
１００  本体制御部
１１０  ＣＰＵ
１２０  ＲＯＭ
１３０  不揮発メモリ
１４０  ＲＡＭ
１５１  画像処理部
１５２  ＬＰＨ制御部
１６０  Ｉ／Ｏ
２００  機構制御部
３００  操作表示部
４００  外部Ｉ／Ｆ
５００  バス
６１０Ｙ１〜６１０Ｙｍ、６１０Ｍ１〜６１０Ｍｍ、６１０Ｃ１〜６１０Ｃｍ、６１０Ｋ１〜６１０Ｋｍ  ＲＦＩＤタグ
６２０Ｙ、６２０Ｍ、６２０Ｃ、６２０Ｋ  ＲＦＩＤ送受信部
Ｐ  用紙 
【図１】
2009012324.tif 000003
【図２】
2009012324.tif 000004
【図３】
2009012324.tif 000005
【図４】
2009012324.tif 000006